(57)【要約】【課題】錘の酸化を防止して土壌汚染を防止し、周囲の枝や果実の損傷を防止し、栄養生長枝との脱着が容易であり、作業性を向上させることができる有実樹の生殖生長枝転換用矯正具を提供すること。【解決手段】金属材質の錘５と、錘を収容できるように一側が開放された開放部と、開放部の外周に結束段縁石リング３−１が形成された締結部３と、を有する合成樹脂材質の矯正具本体２と、矯正具本体の締結部に結合され、収容された錘を抑留させ、内周の先端部に結束段縁石リング４−１が形成され、開閉片７、７ａと、開閉片から延長形成された結束突部８、８ａと、が一体に形成された１対の生長枝装着リング６、６ａが、外周面の上段部に互いに対応するように各々形成された、合成樹脂材質のキャップ４と、を備え、錘は、結合された矯正具本体とキャップとの内部に収容されたことを特徴とする。【選択図】図１
0003124846.tif 000002
【実用新案登録請求の範囲】
【請求項１】
金属材質の錘と；
前記錘を収容できるように一側が開放された開放部と、前記開放部の外周に第１結束段縁石リングが形成された締結部と、を有する合成樹脂材質の矯正具本体と；
前記矯正具本体の前記締結部に結合され、収容された前記錘を抑留させ、内周の先端部に第２結束段縁石リングが形成され、開閉片と、前記開閉片から延長形成された結束突部と、が一体に形成された１対の生長枝装着リングが、外周面の上段部に互いに対応するように各々形成された、合成樹脂材質のキャップと；
を備え、
前記錘は、結合された前記矯正具本体と前記キャップとの内部に収容されたことを特徴とする、有実樹の生殖生長枝転換用矯正具。
【考案の詳細な説明】
【技術分野】
【０００１】
本考案は、有実樹の生殖生長枝転換用矯正具に関する。
【背景技術】
【０００２】
一般に、林檎、梨、柿などの各種有実樹は、果実がならない栄養生長枝と果実がなる生殖生長枝が成長する。栄養生長枝は、主に天空に向かって伸び、生殖生長枝は、概して地面に向かって成長する。自然な果実生産形態は、徒長生長する有実樹の性質により、人為的に抑制せずに自然に果実が実り、これを収穫したため、生産量が少なくて品質も低下する問題があった。
【０００３】
しかし、従来では、生殖生長枝を除いて栄養生長枝を枝刈り方法などで除去し、最近は栄養生長枝を選択的に選別して、果実がなる生殖生長枝に転換させることによって果実の収穫量を増やしている。しかし、このような方法は、単純にひもを利用して、栄養生長枝を地面方向に曲げるものであり、主に枝を無理に曲げて枝が折れたり枯死する問題があった。また、地面に打ち込んで固定した掛けリングが風などの衝撃により抜けて、栄養生長枝を効果的に地面方向に曲げることができないため、生殖生長枝に転換させる効率が顕著に低くなる問題があった。
【考案の開示】
【考案が解決しようとする課題】
【０００４】
一方、上記の問題を解消するために、従来では、天空に向かって伸びる栄養生長枝の先端に４５〜６５ｇ程度の重量のナット（錘）の外面をメッキして、これを針金又はひもでぶら下げて、栄養生長枝が地面を向かうように転換させた。しかし、このように錘をぶら下げる方法は、錘の重さと大きさが定形化されていないため、着脱が難しく、作業能率が顕著に落ち、作業費用（人件費など）がかかる問題がある。
【０００５】
また、金属（鉄）材質で形成された錘が酸化によって錆び付き、錘の外面をメッキしても長期的に使用するとメッキが剥がれて酸化することによって土壌を汚染させる問題がある。また、錘が風に揺れて、木の枝と果実を打撃して、木の枝が折れたり果実が損傷されたりする問題があって、錘をぶら下げている針金などが風と振動などにより、組織が損傷を受けたり切れることで錘が脱落して機能を果たせない問題がある。
【０００６】
そこで、本考案は、上記問題に鑑みてなされたものであり、本考案の目的とするところは、錘の酸化を防止して土壌汚染を防止し、周囲の枝や果実の損傷を防止し、栄養生長枝との脱着が容易であり、作業性を向上させることが可能な、新規かつ改良された有実樹の生殖生長枝転換用矯正具を提供することにある。
【課題を解決するための手段】
【０００７】
上記課題を解決するために、本考案のある観点によれば、金属材質の錘と、錘を収容できるように一側が開放された開放部と、開放部の外周に第１結束段縁石リングが形成された締結部と、を有する合成樹脂材質の矯正具本体と、矯正具本体の締結部に結合され、収容された錘を抑留させ、内周の先端部に第２結束段縁石リングが形成され、開閉片と、開閉片から延長形成された結束突部と、が一体に形成された１対の生長枝装着リングが、外周面の上段部に互いに対応するように各々形成された、合成樹脂材質のキャップと、を備え、錘は、結合された矯正具本体とキャップとの内部に収容されたことを特徴とする、有実樹の生殖生長枝転換用矯正具が提供される。
【０００８】
かかる構成により、有実樹の生殖生長枝転換用矯正具は、錘と、矯正具本体と、キャップと、を備え、錘は、有実樹の栄養生長枝を地面に向かって曲げられる重さを有した金属材質であり、矯正具本体は、合成樹脂材質から形成され、開放部と、締結部とを有し、開放部は、錘を収容できるように、一側が開放され、締結部は、開放部の外周に形成され、第１結束段縁石リングが形成される。また、キャップは、合成樹脂材質から形成され、矯正具本体の締結部に結合され、収容された錘を抑留させ、内周の先端部に第２結束段縁石リングが形成される。また、キャップには、先端部に形成された開閉片と、開閉片から延長形成され、基部に形成された結束突部と、が一体に形成された生長枝装着リングが、外周面の上段部に形成され、１対の生長枝装着リングが互いに対応するように各々形成される。更に、錘は、結合された矯正具本体とキャップとの内部に収容される。
【考案の効果】
【０００９】
本考案によれば、錘の酸化を防止して土壌汚染を防止し、周囲の枝や果実の損傷を防止し、栄養生長枝との脱着が容易であり、作業性を向上させることができる。
【考案を実施するための最良の形態】
【００１０】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１１】
まず、本考案の第１の実施形態にかかる有実樹の生殖生長枝転換用矯正具について説明する。図１は、本実施形態に係る有実樹の生殖生長枝転換用矯正具を示す分解斜視図である。図２は、本実施形態に係る有実樹の生殖生長枝転換用矯正具の結合状態を示す斜視図である。図３は、本実施形態に係る有実樹の生殖生長枝転換用矯正具を示す縦断面図である。図４は、本実施形態に係る有実樹の生殖生長枝転換用矯正具を示す横断面図である。図５は、本実施形態に係る有実樹の生殖生長枝転換用矯正具の設置状態を示す一部斜視図である。図６は、本実施形態に係る有実樹の生殖生長枝転換用矯正具の設置状態を示す説明図である。
【００１２】
本実施形態に係る有実樹の生殖生長枝転換用矯正具１は、有実樹から多くの果実を得ることができるように、果実がならない栄養生長枝１１を果実がなる生殖生長枝に転換させるため、栄養生長枝１１にぶら下げて用いる。有実樹の生殖生長枝転換用矯正具１は、矯正具本体２に錘５を収容させて、錘５が収容された矯正具本体２の入口にキャップ４をかぶせて、キャップ４の外周面には生長枝装着リング６、６ａを一体に形成して構成され、有実樹の栄養生長枝１１に掛けて装着されることによって、栄養生長枝１１を地面に向かうように方向転換させる。
【００１３】
図示したように、本実施形態に係る生殖生長枝転換用矯正具１は、矯正具本体２と、キャップ４と、錘５とに大きく分けて形成される。本実施形態に係る生殖生長枝転換用矯正具１は、有実樹の種類と利用代木の種類及び栄養生長枝１１の勢力程度により差があるが、有実樹１０の若い枝（春にできる新しい枝）、即ち、栄養生長枝１１に設置されて、栄養生長枝１１を地面に向かって曲げられる程度の重さを有することが望ましい。
【００１４】
矯正具本体２は、合成樹脂を利用して形成され、一側面が開放された筒（円形又は多角形）で形成されて、開放された入口には締結部３が形成され、締結部３の外周には結束段縁石リング３−１が形成される。キャップ４は、合成樹脂を利用して、一側面が開放された筒（円形又は多角形）で形成され、開放された入口の内周面は、結束段縁石リング４−１が形成されて、矯正具本体２の結束段縁石リング３−１により抑留される。また、キャップ４の外周面には、生長枝装着リング６、６ａが、弾性力を有するように一体に形成され、生長枝装着リング６、６ａの開放部先端には、開閉片７、７ａと結束突部８、８ａが一体に形成され、生長枝装着リング６、６ａの内周とキャップ４との連結の部分は、垂直面９、９ａに長く延びるように形成されて、栄養生長枝１１を容易に結合（挿入）及び引出できるように構成される。開閉片７、７ａは、生長枝装着リング６、６ａの先端部に形成され、結束突部８、８ａは、キャップ４との結合部分側であり、垂直面９、９ａに連なる基部に形成される。
【００１５】
従って、枝の大きさに対応して選別して装着できるものにし、図３に示したように一側の開閉片７ａを押すと他側の開閉片７が、梃子の原理によって持ち上げられるため、枝の結合が容易にでき作業性が向上する。
【００１６】
矯正具本体２とキャップ４が結合された内部に収容された錘５は、鉄のような金属を利用して形成され、厚さは多様に形成され、その重さを概して４５〜８５ｇ程度有するようにさせる。そして、本実施形態に係る生殖生長枝転換用矯正具１を栄養生長枝１１に装着させたときに、栄養生長枝１１が地面に向かって曲がるようにする。
【００１７】
以下、本考案の第１の実施形態にかかる有実樹の生殖生長枝転換用矯正具の使用状態（設置状態）について説明する。本実施形態に係る生殖生長枝転換用矯正具１は、矯正具本体２の内部に錘５を収容させて、締結部３にキャップ４を結合させて組み立てが完了されるが、締結部３にキャップ４を結合させると、キャップ４の結束段縁石リング４−１が締結部３の結束段縁石リング３−１の内側に位置して抑留されるため、キャップ４は締結部３から離脱できなくなる。
【００１８】
上記のように、結合された本実施形態に係る生殖生長枝転換用矯正具１は、有実樹１０の栄養生長枝１１の先端に装着されて、栄養生長枝１１を果実がなる生殖生長枝に転換させる。本実施形態に係る生殖生長枝転換用矯正具１を把持して、キャップ４の外周面に形成された生長枝装着リング６、６ａの入口を栄養生長枝１１に近接させて、この状態で指で開閉片７、７ａのうち、いずれか一つの開閉片を押すと、他側の開閉片とこれと一体に形成された生長枝装着リングが拡開され、このように拡開された生長枝装着リング６、６ａの入口に栄養生長枝１１を挿入すると、栄養生長枝１１は、生長枝装着リング６、６ａのうち、いずれか一つの生長枝装着リングの内部に装着される。
【００１９】
このように、栄養生長枝１１を生長枝装着リング６、６ａの内部に装着すると、開閉片７、７ａの底面内側に形成された結束突部８、８ａが栄養生長枝１１の底面を支持するようになるため、栄養生長枝１１は離脱されずに抑留された状態を維持できる。
【００２０】
上記のように本実施形態に係る生殖枝転換用矯正具１を結合させる時期と位置は、次のように決定される。生殖枝転換用矯正具１は、春に新しく出きた栄養生長枝の成長状態によって設置され、利用する代木の大きさにより差があるが、概して林檎の木の場合には、接木類Ｍ９は１５〜１８ｃｍ程度に成長した時に設置され、接木類Ｍ２６は２５〜３０ｃｍ程度に成長した時に設置される。
【００２１】
時期別には地域別に気温の差があることを考慮すると、５月中旬頃から６月中旬頃までが最も効果的であり、設置位置は栄養生長枝１１の端部から内側に適当な位置、即ち、栄養生長枝１１の太さと、錘を付けた時に折れずに曲がって端部が地面に向う程度を考慮して、一般的に端部から３〜８ｃｍ程度の位置に設置することが望ましい。
【００２２】
上記のように、本実施形態に係る生殖生長枝転換用矯正具１を栄養生長枝１１に設置して一定期間が経過すると、若い枝の栄養生長枝１１は錘５の重さにより曲がって固定化される。栄養生長枝１１が錘５の重量により曲がり、完全に固定化される時期は、栄養生長枝の太さ、長さ、力などにより差があるが、概して２０〜４０日経過すると栄養生長枝１１は完全に固形化された状態を維持することができる。
【００２３】
栄養生長枝１１が固形化されて、生殖生長枝転換用矯正具１を分離しても曲がった状態をずっと維持できると、生殖生長枝転換用矯正具１は機能しないため、栄養生長枝１１から生殖枝転換用矯正具１を分離する。栄養生長枝１１を生殖生長枝転換用矯正具１から分離する方法は、前記栄養生長枝１１が結合されていない他側の開閉片７、７ａのうち、いずれか一つの開閉片を押すと結束突部８、８ａが上がって入口が形成されるため、この入口を通して栄養生長枝１１抜き出すと良い。
【００２４】
分離させた生殖生長枝転換用矯正具１は、消耗品でないため、紛失しない限り継続して使用できて、矯正具本体２とキャップ４が色落ちしたり変質しないように暗所に保管することが望ましい。
【００２５】
本考案に係る有実樹の生殖生長枝転換用矯正具は、矯正具本体の内部に錘を収容させて、錘が収容された矯正具本体の入口にキャップをかぶせて、キャップの外周面には生長枝装着リングを一体に形成して、有実樹の栄養生長枝に装着させることによって、栄養生長枝を地面に向かう生殖生長枝に転換させる。
【００２６】
金属材質の錘を合成樹脂で形成された矯正具本体とキャップの内部に内蔵させるため、錘が酸化されるのを防止して、土壌が汚染されるのを防止するなど環境に優しく、衛生的に使用できる。また、矯正具本体とキャップを合成樹脂のように軟らかい材質で形成するため、強風が吹く時、錘によって周辺の木の枝や果実が損傷されるのを防止する。更に、連結針金を使用しないため、風又は脱着時に組織が損傷を受けたり切断されるのを防止できる。
【００２７】
また、栄養生長枝が結合される１対の生長枝装着リングがキャップの外周面上部側に互いに異なる大きさで各々一体化していることにより、枝の大きさに関係せずに使用可能で、一側の開閉片を押す動作により他側の生長枝装着リングが拡開されるため、栄養生長枝の脱着が容易であり、作業性が向上する。
【００２８】
以上、添付図面を参照しながら本考案の好適な実施形態について説明したが、本考案はかかる例に限定されないことは言うまでもない。当業者であれば、実用新案登録請求の範囲に記載された範疇内において、各種の変更例又は修正例に想到し得ることは明らかであり、それらについても当然に本考案の技術的範囲に属するものと了解される。
【図面の簡単な説明】
【００２９】
【図１】本考案の第１の実施形態に係る有実樹の生殖生長枝転換用矯正具を示す分解斜視図である。
【図２】同実施形態に係る有実樹の生殖生長枝転換用矯正具を示す結合状態斜視図である。
【図３】同実施形態に係る有実樹の生殖生長枝転換用矯正具を示す縦断面図である。
【図４】同実施形態に係る有実樹の生殖生長枝転換用矯正具を示す横断面図である。
【図５】同実施形態に係る有実樹の生殖生長枝転換用矯正具の設置状態を示す一部抜粋斜視図である。
【図６】同実施形態に係る有実樹の生殖生長枝転換用矯正具の設置状態を示す説明図である。
【符号の説明】
【００３０】
１      生殖生長枝転換用矯正具
２      矯正具本体
３      締結部
４      キャップ
３−１、４−１      結束段縁石リング
５      錘
６、６ａ      生長枝装着リング
７、７ａ      開閉片
８、８ａ      結束突部
９、９ａ      垂直面
１０      有実樹
１１      栄養生長枝
【図１】
0003124846.tif 000003
【図２】
0003124846.tif 000004
【図３】
0003124846.tif 000005
【図４】
0003124846.tif 000006
【図５】
0003124846.tif 000007
【図６】
0003124846.tif 000008